(57)【要約】【課題】ＰＸＣ装置のようなトランスペアレントな装置を含むリンクを増設する場合であっても、光ファイバ接続状態認識を含むデータリンク情報の設定を容易に行うこと。【解決手段】ＷＤＭ装置♯Ａ（３）は、光ファイバ接続状態の自動認識を指示する信号を受けて、自動認識をすべき光ファイバ４のポートの識別情報と自ノードＩＤ情報とを含む情報を光信号のオンオフパターンでＰＸＣ装置♯Ａ（２）側に送信するとともに、折り返される光信号のオンオフパターンを監視して導通確認を行い、ＰＸＣ装置♯Ａ（２）は、非運用の光ファイバ４のポートをループバック設定しておき、入力された光信号のオンオフパターンを折り返すとともに、該光信号のオンオフパターンを検出して前記ポートの識別情報と前記ノードＩＤ情報とを取得し、これらの情報を用いて制御チャネルを確立し、データリンク情報の設定を行う。【選択図】        図２
2009212778.tif 000002
【特許請求の範囲】
【請求項１】
隣接する光クロスコネクト装置とＷＤＭ装置とが光ファイバで接続されるとともに電気通信路が設けられ、前記光クロスコネクト装置と前記ＷＤＭ装置との間の光ファイバ接続状態を自動認識するネットワークシステムにおいて、
前記ＷＤＭ装置は、光ファイバ接続状態の自動認識を指示する信号を受けて、自動認識をすべき光ファイバのポートの識別情報と自ノードＩＤ情報とを含む情報を光信号のオンオフパターンで前記光クロスコネクト装置側に送信するとともに、該光ファイバと対となる光ファイバから入力される前記光信号のオンオフパターンを監視して導通確認を行い、
前記光クロスコネクト装置は、非運用の光ファイバのポートをループバック設定しておき、該ループバック設定された光ファイバおよび該光ファイバと対となる光ファイバで前記光信号のオンオフパターンを前記ＷＤＭ装置側に折り返すとともに、該光信号のオンオフパターンを検出して前記ポートの識別情報と前記ノードＩＤ情報とを取得し、
前記ＷＤＭ装置および前記光クロスコネクト装置は、前記電気通信路を介した制御チャネルを確立し、該制御チャネルを介して前記ポートの識別情報および前記ノードＩＤ識別情報を用いたデータリンク情報の設定を行うことを特徴とするネットワークシステム。
【請求項２】
対向する前記ＷＤＭ装置間が光制御監視チャネルで接続されるとともに、各ＷＤＭ装置に隣接する光クロスコネクト装置間に第２の電気通信路が設けられ、
各ＷＤＭ装置は、前記光制御監視チャネルを介して前記データリンク情報の交換を行い、
各光クロスコネクト装置は、前記第２の電気通信路を介した各光クロスコネクト装置間の制御チャネルを確立し、該制御チャネルを介してデータリンク情報の設定を行うことを特徴とする請求項１に記載のネットワークシステム。
【請求項３】
隣接する光クロスコネクト装置とＷＤＭ装置とが光ファイバで接続されるとともに電気通信路が設けられ、前記光クロスコネクト装置と前記ＷＤＭ装置との間の光ファイバ接続状態を自動認識するネットワークシステムの光ファイバ接続状態認識方法において、
前記ＷＤＭ装置が、光ファイバ接続状態の自動認識を指示する信号を受けて、自動認識をすべき光ファイバのポートの識別情報と自ノードＩＤ情報とを含む情報を光信号のオンオフパターンで前記光クロスコネクト装置側に送信するとともに、該光ファイバと対となる光ファイバから入力される前記光信号のオンオフパターンを監視して導通確認を行う光信号情報送信ステップと、
前記光クロスコネクト装置が、非運用の光ファイバのポートをループバック設定しておき、該ループバック設定された光ファイバおよび該光ファイバと対となる光ファイバで前記光信号のオンオフパターンを前記ＷＤＭ装置側に折り返すとともに、該光信号のオンオフパターンを検出して前記ポートの識別情報と前記ノードＩＤ情報とを取得する光信号情報取得ステップと、
前記ＷＤＭ装置および前記光クロスコネクト装置が、前記電気通信路を介した制御チャネルを確立し、該制御チャネルを介して前記ポートの識別情報および前記ノードＩＤ識別情報を用いたデータリンク情報の設定を行うデータリンク情報設定ステップと、
を含むことを特徴とする光ファイバ接続状態認識方法。
【請求項４】
対向する前記ＷＤＭ装置間が光制御監視チャネルで接続されるとともに、各ＷＤＭ装置に隣接する光クロスコネクト装置間に第２の電気通信路が設けられ、各ＷＤＭ装置が、前記光制御監視チャネルを介して前記データリンク情報の交換を行う情報交換ステップと、
各光クロスコネクト装置が、前記第２の電気通信路を介した各光クロスコネクト装置間の制御チャネルを確立し、該制御チャネルを介してデータリンク情報の設定を行う第２データリンク情報設定ステップと、
を含むことを特徴とする請求項３に記載の光ファイバ接続状態認識方法。
【発明の詳細な説明】
【技術分野】
【０００１】
この発明は、  隣接する光クロスコネクト装置とＷＤＭ装置とが光ファイバで接続されるとともに電気通信路が設けられ、前記光クロスコネクト装置と前記ＷＤＭ装置との間の光ファイバ接続状態を自動認識するネットワークシステムおよび光ファイバ接続状態認識方法に関するものである。
【背景技術】
【０００２】
従来、ＧＭＰＬＳ（Generalized Multi-Protocol Label Switching）を適用したＰＸＣ−ＷＤＭネットワークが注目されている。このネットワークは、全光スイッチを適用した光クロスコネクト装置（ＰＸＣ装置）とＷＤＭ装置とを有し、ＧＭＰＬＳプロトコルによって制御される。ＰＸＣ装置とＷＤＭ装置とは、同一局舎内に設置され、ＰＸＣ装置は、ルータやＳＤＨ装置などのクライアント装置を収容し、ＷＤＭ装置は、光信号を多重化するＷＤＭ伝送区間を接続する。このネットワークは、主信号を伝送する光ファイバ網であるデータプレーン（Ｄ−Ｐｌａｎｅ）と、ＧＭＰＬＳ制御メッセージを交換するための制御プレーン（Ｃ−Ｐｌａｎｅ）とに大きく分類される。
【０００３】
ここで、ＰＸＣ装置間でリンクを増設する場合、ネットワーク運用者は手動で、リンクの両端のノードでリンクを識別するためのＩＤ情報、増設するリンクがサポートする光信号形式、および帯域情報などの属性情報を、増設するリンク上の装置で設定する必要がある。また、ＧＭＰＬＳを実現するために、各リンク情報は、隣接装置間で一致させて一元化しておく必要がある。これらの設定作業を一部自動化する手段として、ＧＭＰＬＳ−ＬＭＰ（RFC4204；link Management Protocol）によってLink Verification手順が定義されている。このLink Verification手順は、隣接する装置間でＬＭＰ制御メッセージを交換し、リンク接続性の学習や、設定情報の整合性を確認するものである。Link Verification手順では、Ｃ−Ｐｌａｎｅ上のTestStatus等の制御メッセージと、Ｄ−Ｐｌａｎｅ上のTestメッセージとを連動させて転送することで、Testメッセージを受信したリンクの相手側の識別子を学習するようにしている（非特許文献１参照）。
【０００４】
【非特許文献１】「ＭＰＬＳとフォトニックＧＭＰＬＳ」電気通信協会，平成１５年１２月１５日，P243〜252
【発明の開示】
【発明が解決しようとする課題】
【０００５】
上述したように、従来のＰＸＣ−ＷＤＭネットワークでは、リンクを新規に増設する際、膨大なＤ−Ｐｌａｎｅ情報をオペレータが手動で設定する必要があったため、ネットワークの大容量化に伴い、設定すべきリンク数が増加すると、設定ミスを招きやすく、工数も増大するという問題点があった。
【０００６】
ここで、上述した設定作業を一部自動化するLink Verification手順を用いることが考えられるが、ＰＸＣ装置のように、光信号を電気信号に変換せず、そのまま送受信を行うトランスペアレントな装置には適用することができないという問題点があった。
【０００７】
一方、電気信号を送受信できる試験カードを各ＰＸＣ装置に設け、Link Verification手順を行わせることが考えられるが、同時に試験カード分のリンクの接続性確認しかできず、光信号の形式に合わせた複数種類の試験カードが必要になり、コスト高になるという問題点があった。
【０００８】
この発明は、上記に鑑みてなされたものであって、ＰＸＣ装置のようなトランスペアレントな装置を含むリンクを増設する場合であっても、光ファイバ接続状態認識を含むデータリンク情報の設定を容易に行うことができるネットワークシステムおよび光ファイバ接続状態認識方法を提供することを目的とする。
【課題を解決するための手段】
【０００９】
上述した課題を解決し、目的を達成するために、この発明にかかるネットワークシステムは、隣接する光クロスコネクト装置とＷＤＭ装置とが光ファイバで接続されるとともに電気通信路が設けられ、前記光クロスコネクト装置と前記ＷＤＭ装置との間の光ファイバ接続状態を自動認識するネットワークシステムにおいて、前記ＷＤＭ装置は、光ファイバ接続状態の自動認識を指示する信号を受けて、自動認識をすべき光ファイバのポートの識別情報と自ノードＩＤ情報とを含む情報を光信号のオンオフパターンで前記光クロスコネクト装置側に送信するとともに、該光ファイバと対となる光ファイバから入力される前記光信号のオンオフパターンを監視して導通確認を行い、前記光クロスコネクト装置は、非運用の光ファイバのポートをループバック設定しておき、該ループバック設定された光ファイバおよび該光ファイバと対となる光ファイバで前記光信号のオンオフパターンを前記ＷＤＭ装置側に折り返すとともに、該光信号のオンオフパターンを検出して前記ポートの識別情報と前記ノードＩＤ情報とを取得し、前記ＷＤＭ装置および前記光クロスコネクト装置は、前記電気通信路を介した制御チャネルを確立し、該制御チャネルを介して前記ポートの識別情報および前記ノードＩＤ識別情報を用いたデータリンク情報の設定を行うことを特徴とする。
【００１０】
また、この発明にかかる光ファイバ接続状態認識方法は、隣接する光クロスコネクト装置とＷＤＭ装置とが光ファイバで接続されるとともに電気通信路が設けられ、前記光クロスコネクト装置と前記ＷＤＭ装置との間の光ファイバ接続状態を自動認識するネットワークシステムの光ファイバ接続状態認識方法において、前記ＷＤＭ装置が、光ファイバ接続状態の自動認識を指示する信号を受けて、自動認識をすべき光ファイバのポートの識別情報と自ノードＩＤ情報とを含む情報を光信号のオンオフパターンで前記光クロスコネクト装置側に送信するとともに、該光ファイバと対となる光ファイバから入力される前記光信号のオンオフパターンを監視して導通確認を行う光信号情報送信ステップと、前記光クロスコネクト装置が、非運用の光ファイバのポートをループバック設定しておき、該ループバック設定された光ファイバおよび該光ファイバと対となる光ファイバで前記光信号のオンオフパターンを前記ＷＤＭ装置側に折り返すとともに、該光信号のオンオフパターンを検出して前記ポートの識別情報と前記ノードＩＤ情報とを取得する光信号情報取得ステップと、前記ＷＤＭ装置および前記光クロスコネクト装置が、前記電気通信路を介した制御チャネルを確立し、該制御チャネルを介して前記ポートの識別情報および前記ノードＩＤ識別情報を用いたデータリンク情報の設定を行うデータリンク情報設定ステップと、を含むことを特徴とする。
【発明の効果】
【００１１】
この発明にかかるネットワークシステムおよび光ファイバ接続状態認識方法では、ＷＤＭ装置が、光ファイバ接続状態の自動認識を指示する信号を受けて、自動認識をすべき光ファイバのポートの識別情報と自ノードＩＤ情報とを含む情報を光信号のオンオフパターンで光クロスコネクト装置側に送信するとともに、該光ファイバと対となる光ファイバから入力される前記光信号のオンオフパターンを監視して導通確認を行い、前記光クロスコネクト装置が、非運用の光ファイバのポートをループバック設定しておき、該ループバック設定された光ファイバおよび該光ファイバと対となる光ファイバで前記光信号のオンオフパターンを前記ＷＤＭ装置側に折り返すとともに、該光信号のオンオフパターンを検出して前記ポートの識別情報と前記ノードＩＤ情報とを取得するようにしているので、光ファイバ接続状態が自動で認識され、オペレータにかかる負荷を極端に低減し、データリンク情報の設定を容易に行うことができる。
【発明を実施するための最良の形態】
【００１２】
以下、図面を参照して、この発明にかかるネットワークシステムおよび光ファイバ接続状態認識方法の好適な実施の形態を詳細に説明する。なお、この実施の形態によってこの発明が限定されるものではない。
【００１３】
図１は、この発明の実施の形態にかかるネットワークシステムの全体構成を示すブロック図である。また、図２は、図１に示したＰＸＣ装置＃Ａ（２）およびＷＤＭ装置＃Ａ（３）の詳細構成を示すブロック図である。図１および図２において、ＰＸＣ装置＃Ａ（２）は、非運用状態の光ファイバ４を含む複数の光ファイバによって隣接するＷＤＭ装置♯Ａ（３）に接続されるとともにクライアント装置であるルータ♯Ａ（１）に接続される。ＷＤＭ装置♯Ａ（３）は、隣接して対向するＷＤＭ装置♯Ｂ（６）と光ファイバ５を介して接続される。ＰＸＣ装置♯Ｂ（８）は、隣接するＷＤＭ装置♯Ｂ（６）に非運用状態の光ファイバ７を含む複数の光ファイバを介して接続されるとともに、クライアント装置であるルータ♯Ｂ（９）に接続される。ここで、ＰＸＣ装置♯Ａ（２）とＷＤＭ装置♯Ａ（３）との間およびＰＸＣ装置♯Ｂ（８）とＷＤＭ装置♯Ｂ（６）との間は、電気通信路であるＧＭＰＬＳ通信路１０，１２で接続され、ＰＸＣ装置♯Ａ（２）とＰＸＣ装置♯Ｂ（８）との間は、電気通信路であるＧＭＰＬＳ通信路１１で接続され、ＷＤＭ装置♯Ａ（３）とＷＤＭ装置♯Ｂ（６）との間は、光ファイバ５内の光制御監視チャネルを介して接続され、それぞれＧＭＰＬＳ制御メッセージの送受信が可能なＣ−Ｐｌａｎｅを形成している。
【００１４】
ＰＸＣ装置♯Ａ（２）は、光信号入力ポート２０，１３の後段にパワーモニタ１４，１５がそれぞれ配置され、各パワーモニタ１４，１５は、入力された光信号の入力レベルを監視する。光信号出力ポート１７，１８とパワーモニタ１４，１５を介した光信号入力ポート２０，１３は、光スイッチ１６に接続される。光スイッチ１６は、任意の光信号入力ポートと光信号出力ポートとの間をクロスコネクトする。たとえば、ＷＤＭ装置♯Ａ（３）から運用状態になった光ファイバ４を介してルータ♯Ａ（１）に送信する場合、光信号入力ポート１３と光信号出力ポート１７、および光信号入力ポート２０と光信号出力ポート１８をクロスコネクトする。制御部１９は、パワーモニタ１４，１５の監視結果の解析および隣接装置間のＩＰパケットの送受信制御を行う。
【００１５】
ＷＤＭ装置♯Ａ（３）は、光信号入力ポート２１の後段にパワーモニタ２２が配置され、パワーモニタ２２は、光信号の入力レベルを監視する。ＭＵＸ部２３は、パワーモニタ２２を介してＰＸＣ装置♯Ａ（２）側から入力された光信号を波長多重し、隣接するＷＤＭ装置♯Ｂ（６）に光ファイバ５を介して送信する。一方、ＤＥＭＵＸ部２４は、ＷＤＭ装置♯Ｂ（６）側から入力された波長多重光信号を波長分離し、光信号送信部２７および光信号出力ポート３０を介して波長分離された光信号をＰＸＣ装置♯Ａ（２）側に送信する。
【００１６】
ＯＳＣ光制御部２５は、ＯＳＣ（Optical Supervisory Channel；光監視制御チャネル）光の送受信を制御する。ＯＳＣ光は、隣接するＷＤＭ装置♯Ａ（３）とＷＤＭ装置♯Ｂ（６）との間で障害情報の監視などを行う監視専用のチャネルである。制御部２６は、隣接装置間のＩＰパケットの送信制御やパワーモニタ２２の監視結果の解析や光信号送信部２７の制御、ＯＳＣ光によるＷＤＭ装置♯Ａ（３）とＷＤＭ装置♯Ｂ（６）との間の情報送受信の制御などを行う。なお、図２では、ＰＸＣ装置♯Ａ（２）とＷＤＭ装置♯Ａ（３）との詳細構成を示したが、ＰＸＣ装置♯Ｂ（８）とＷＤＭ装置♯Ｂ（６）との詳細構成も同様な構成である。
【００１７】
ここで、図３に示すシーケンス図を参照して、ＰＸＣ装置♯Ａ（２）とＷＤＭ装置♯Ａ（３）との間における光ファイバ接続状態認識制御処理について説明する。なお、この光ファイバ接続状態認識制御処理は、ＰＸＣ装置♯Ａ（２）とＷＤＭ装置♯Ａ（３）との間で光ファイバ接続されている隣接装置間の自動学習および光ファイバ接続されているポート間にリンク情報を自動生成し、制御メッセージによってリンク情報を隣接装置間で交換し、リンク情報を自動設定するものである。
【００１８】
図３において、まず、ＷＤＭ装置♯Ａ（３）に、このシーケンス開始の契機となるＰＸＣ−ＷＤＭ間オートディスカバリ要求が入力される（ステップＳ１０１）と、指定された光信号出力ポート３０の光信号送信部２７を制御して光信号のＯＮ／ＯＦＦパターンを送信するとともに、この光信号出力ポート３０と対となる光信号入力ポート２１に対応するパワーモニタ２２の監視を行う（ステップＳ１０２）。光ファイバの自動発見を行うポートの指定は、波長番号とそのチャネル番号とによって行う。この波長番号とチャネル番号との組は、ポート識別情報である。光信号のＯＮ／ＯＦＦパターンは、自装置のノードＩＤとポート識別情報とを「０」と「１」のビットパターンに変換したものである。ここで、ＷＤＭ装置♯Ａ（３）は、パワーモニタ２２が監視した光信号のＯＮ／ＯＦＦパターンが送信した光信号のＯＮ／ＯＦＦパターンに一致したか否かを判定し、一致した場合、光ファイバ４の光導通が正常であると判断する。
【００１９】
一方、ＰＸＣ装置♯Ａ（２）は、非運用状態の光信号入力ポート１３および光信号出力ポート１８に対して、光スイッチ１６のクロスコネクト状態をループバック設定にしており、ＷＤＭ装置♯Ａ（３）から光ファイバ４を介して入力された光信号のＯＮ／ＯＦＦパターンは、折り返され、光信号出力ポート１８からＷＤＭ装置♯Ａ（３）側に出力され、パワーモニタ１５によって受信した光信号のＯＮ／ＯＦＦパターンを検出することによって隣接するＷＤＭ装置♯Ａ（３）のノードＩＤとポート識別情報とを取得する（ステップＳ１０３）。
【００２０】
その後、ＰＸＣ装置♯Ａ（２）は、取得した隣接するＷＤＭ装置♯Ａ（３）のノードＩＤを登録して、ＧＭＬＰＳ通信路１０を介して、ＬＭＰ  Ｃｏｎｔｒｏｌ  Ｃｈａｎｎｅｌ  Ｍａｎａｇｅｍｅｎｔを開始し、ＬＭＰプロトコルの制御メッセージであるＣｏｎｆｉｇメッセージの送信を開始し、ＬＭＰ  Ｃｏｎｔｒｏｌ  Ｃｈａｎｎｅｌの確立を行う（ステップＳ１０４）。これによって、ＧＭＬＰＳ通信路１０を介した制御メッセージの送受信が可能となる。
【００２１】
その後、ＰＸＣ装置♯Ａ（２）は、自ノードＩＤ通知のメッセージをＷＤＭ装置♯Ａ（３）に送信し（ステップＳ１０５）、ＷＤＭ装置♯Ａ（３）に対して光ファイバ接続されていることを通知する。このノードＩＤ通知メッセージには、受信した光信号のＯＮ／ＯＦＦパターンを含んでいる。したがって、このノードＩＤ通知メッセージを受信したＷＤＭ装置♯Ａ（３）は、光信号のＯＮ／ＯＦＦパターンとＰＸＣ装置♯Ａ（２）のノードＩＤとを取得でき、光ファイバ接続されている隣接装置が、ＰＸＣ装置♯Ａ（２）であることを認識し、隣接ノード情報として登録する。さらに、ＷＤＭ装置♯Ａ（３）は、受信した光信号のＯＮ／ＯＦＦパターンによって、光ファイバ自動認識を行っているポートペア（光信号出力ポート３０と光信号入力ポート２１）に対し、データリンクＩＤおよびリンクの属性情報などを自動生成し、リンク管理情報として登録する。そして、この自動設定したリンク管理情報を、データリンク設定要求メッセージとしてＰＸＣ装置♯Ａ（２）に送信する（ステップＳ１０６）。
【００２２】
このデータリンク設定要求メッセージを受信したＰＸＣ装置♯Ａ（２）は、メッセージ内に含まれる光信号のＯＮ／ＯＦＦパターンと、これまでに同一の光信号のＯＮ／ＯＦＦパターンを受信した光信号入力ポートを検索し、光ファイバ自動認識を行っているポートペア（光信号入力ポート１３および光信号出力ポート１８）を特定し、このポートペアが特定された場合に、データリンクＩＤ情報を自動生成し、受信したデータリンク設定要求メッセージ内のリンクＩＤ情報やエンコーディングタイプ、帯域情報などのリンクの属性情報をリンク管理情報として登録する（ステップＳ１０７）。
【００２３】
その後、ＰＸＣ装置♯Ａ（２）は、特定したポートペアに対して自動で割り当てたリンク管理情報をデータリンク設定応答メッセージとしてＷＤＭ装置♯Ａ（３）側に送信する（ステップＳ１０８）。このデータリンク設定応答メッセージを受信したＷＤＭ装置♯Ａ（３）は、ポートペア（光信号入力ポート１３および光信号出力ポート１８）に割り当てられたデータリンクＩＤ情報を、自ノードの光ファイバ接続されているポートペア（光信号出力ポート３０と光信号入力ポート２１）のデータリンクＩＤ情報と対応付け、登録する（ステップＳ１０９）。
【００２４】
この一連のシーケンスによって、ＰＸＣ装置♯Ａ（２）とＷＤＭ装置♯Ａ（３）との間で光ファイバ接続されている隣接装置の自動学習および光ファイバ接続されているポートに対するデータリンク情報の設定が自動で行われることになる。
【００２５】
つぎに、図４に示すシーケンス図を参照して、ＰＸＣ装置間の光接続状態認識制御処理について説明する。図４において、まずＰＸＣ−ＷＤＭ間の光ファイバ自動認識実行の契機となるＰＸＣ−ＰＸＣ間オートディスカバリ要求のメッセージがＷＤＭ装置♯Ｂ（６）からコマンドライン入力される（ステップＳ２０１）と、このメッセージを受信したＷＤＭ装置♯Ａ（３）は、ＯＳＣ光送信部２７を制御し、ＷＤＭ装置♯Ｂ（６）に対して、ＰＸＣ−ＷＤＭ間の光ファイバ自動認識実行を指示するＰＸＣ−ＷＤＭ間オートディスカバリ要求のメッセージを送信する（ステップＳ２０２）。なお、このメッセージには、ＰＸＣ−ＰＸＣ間オートディスカバリ要求で取得した光ファイバ自動認識を実行するポート識別情報が含まれる。
【００２６】
その後、ＷＤＭ装置♯Ａ（３）は、ＰＸＣ−ＰＸＣ間オートディスカバリ要求で指定されたポートに対して、図３に示した光ファイバ接続状態認識制御処理（ＰＸＣ−ＷＤＭ間ファイバ自動認識シーケンス）を実行し、光ファイバ接続されている隣接ＰＸＣ装置であるＰＸＣ装置♯Ａ（２）の自動発見、および光ファイバ接続されているポートに対してデータリンク情報の設定を自動で行う（ステップＳ２０３）。
【００２７】
一方、ＰＸＣ−ＷＤＭ間オートディスカバリ要求のメッセージを受信したＷＤＭ装置♯Ｂ（６）は、指定されたポート識別情報に対して、図３に示した光ファイバ接続状態認識制御処理（ＰＸＣ−ＷＤＭ間ファイバ自動認識シーケンス）を実行し、光ファイバ接続されている隣接ＰＸＣ装置であるＰＸＣ装置♯Ｂ（８）の自動発見、および光ファイバ接続されているポートに対してデータリンク情報の設定を自動で行う（ステップＳ２０４）。
【００２８】
この時点で、ＰＸＣ装置♯Ａ（３）とＷＤＭ装置♯Ａ（３）、およびＰＸＣ装置♯Ｂ（８）とＷＤＭ装置♯Ｂ（６）の各間で光ファイバ接続されているポートに対してデータリンク情報が自動で割り当てられたことになる。
【００２９】
その後、ＷＤＭ装置♯Ａ（３）およびＷＤＭ装置♯Ｂ（６）は、それぞれ隣接するＰＸＣ装置♯Ａ（２）およびＰＸＣ装置♯Ｂ（８）のデータリンク情報を互いに通知するため、それぞれＰＸＣ−ＷＤＭ間オートディスカバリ結果通知メッセージを送信する（ステップＳ２０５）。この結果、ＷＤＭ装置♯Ａ（３）は、波長多重区間で接続されている対向するＷＤＭ装置♯Ｂ（６）と、これに光ファイバ接続されているＰＸＣ装置であるＰＸＣ装置♯Ｂ（８）とに自動割り当てされたデータリンク情報を取得することができる。その後、ＷＤＭ装置♯Ａ（３）は、隣接するＰＸＣ装置であるＰＸＣ装置♯Ａ（２）に通知するために、リモートデータリンク設定要求メッセージを送信し（ステップＳ２０６）、ＰＸＣ装置♯Ａ（２）は、ＰＸＣ装置♯Ｂ（８）のデータリンク情報の受け入れが可能であることを通知するリモートデータリンク設定応答メッセージをＷＤＭ装置♯Ａ（３）に送信する（ステップＳ２０７）。
【００３０】
リモートデータリンク設定要求メッセージを受信したＰＸＣ装置♯Ａ（２）は、光ファイバ接続されている隣接ＰＸＣ装置であるＰＸＣ装置♯Ｂ（８）のノードＩＤと、光ファイバ接続されているポートに割り振られたデータリンク情報を取得することができ、リンク管理情報に記録するとともに、ＬＭＰ  Ｃｏｎｔｒｏｌ  Ｃｈａｎｎｅｌ  Ｍａｎａｇｅｍｅｎｔを開始し、ＬＭＰプロトコルの制御メッセージであるＣｏｎｆｉｇメッセージの送信を開始し、ＰＸＣ−ＰＸＣ間のＬＭＰ  Ｃｏｎｔｒｏｌ  Ｃｈａｎｎｅｌの確立を行う（ステップＳ２０８）。これによって、ＧＭＬＰＳ通信路１１を介した制御メッセージの送受信が可能となる。
【００３１】
ＰＸＣ装置♯Ａ（２）とＰＸＣ装置♯Ｂ（８）との間でＬＭＰ  Ｃｏｎｔｒｏｌ  Ｃｈａｎｎｅｌが確立すると、ＰＸＣ装置♯Ａ（２）は、ＴＥリンク情報の生成、データリンクとＴＥリンクとの関連付けを行い、この生成したＴＥリンク情報を隣接ＷＤＭ装置であるＷＤＭ装置♯Ａ（３）に通知するためのＴＥリンク設定要求メッセージを送信する（ステップＳ２０９）。
【００３２】
ＴＥリンク設定要求メッセージを受信したＷＤＭ♯Ａ（３）は、ＴＥリンク情報を自動生成し、受信したメッセージ内で指定されたＰＸＣ装置♯Ａ（２）のＴＥリンク情報、すなわちリモートのＴＥリンク情報を記録する。その後、自動生成したＴＥリンク情報をＰＸＣ♯Ａ（２）に通知するＴＥリンク設定応答メッセージを送信する（ステップＳ２１０）。
【００３３】
その後、ＴＥリンク設定応答メッセージを受信したＰＸＣ装置♯Ａ（２）は、隣接するＷＤＭ装置♯Ａ（３）によって割り当てたＴＥリンク情報を記録し、その後、自装置が自動生成したＴＥリンク情報を、隣接ＰＸＣ装置であるＰＸＣ装置♯Ｂ（８）に通知するためのＴＥリンク設定要求メッセージを送信する（ステップＳ２１１）。
【００３４】
ＴＥリンク設定要求メッセージを受信したＰＸＣ装置♯Ｂ（８）は、指定されたＰＸＣ装置♯Ａ（２）のＴＥリンク情報と自ノードのリンク管理情報との間で整合性のチェックを行い、不整合が発生していない場合、対応するＴＥリンク情報を自動生成し、指定されたＰＸＣ装置♯Ａ（２）のＴＥリンク情報との関連付けを行う。その後、ＰＸＣ装置♯Ｂ（８）は、隣接ＷＤＭ装置であるＷＤＭ装置♯Ｂ（６）に、生成したＴＥリンク情報を通知するためのＴＥリンク設定要求メッセージを送信する（ステップＳ２１２）。
【００３５】
ＴＥリンク設定要求メッセージを受信したＷＤＭ装置♯Ｂ（６）は、ＰＸＣ装置♯Ｂ（８）がＴＥリンク設定要求メッセージを受信した場合と同一の処理を行い、ＴＥリンク設定応答メッセージを、隣接ＰＸＣ装置であるＰＸＣ装置♯Ｂ（８）に送信する（ステップＳ２１３）。
【００３６】
ＷＤＭ装置♯Ｂ（６）からＴＥリンク設定応答メッセージを受信したＰＸＣ装置♯Ｂ（８）は、ＷＤＭ装置♯Ｂ（６）が自動で割り当てたＴＥリンク情報とリンク管理情報との間で整合性チェックを行う。ここで、不整合が発生していた場合、これまでに受信したＰＸＣ装置♯Ａ（２）からのＴＥ設定要求メッセージに対して、ＮＧ応答を送信し、不整合が発生していなかった場合、ＴＥリンク設定応答メッセージをＯＫ応答でＰＸＣ装置♯Ａ（２）に送信する（ステップＳ２１４）。
【００３７】
その後、隣接ＰＸＣ装置であるＰＸＣ装置♯Ｂ（８）からＴＥリンク設定応答メッセージを受信したＰＸＣ♯Ａ（２）は、ＰＸＣ装置♯Ｂ（８）が自動で割り当てたＴＥリンク情報とリンク管理情報との間で不整合のチェックを行う。不整合が発生していない場合、この自動認識で確定したリンクの運用を開始する。すなわち、ＰＸＣ装置♯Ａ（２）は、隣接するＷＤＭ装置♯Ａ（３）およびＰＸＣ装置♯Ｂ（８）に対して、リンクの運用開始を指示する運用指示メッセージを送信する（ステップＳ２１５，Ｓ２１６）。さらに、運用指示メッセージを受信したＰＸＣ装置♯Ｂ（８）は、隣接するＷＤＭ装置♯Ｂ（６）に対して、運用指示メッセージを送信する（ステップＳ２０７）。これら各運用指示メッセージを受信した各装置は、自動発見したリンクの状態を運用開始に設定し、この設定によって、リンクが使用可能な状態となり、ＰＸＣ−ＰＸＣ間の光ファイバ接続状態認識制御処理が完了する。
【００３８】
この実施の形態では、光信号のＯＮ／ＯＦＦパターンに自動認識をすべき光ファイバのポート識別情報と自ノードＩＤ情報を含めて隣接装置に送信するようにしているので、電気終端機能を持たないＰＸＣ装置を有する場合であっても、隣接するＰＸＣ装置とＷＤＭ装置との間で光ファイバ接続されている隣接装置の自動学習および光ファイバ接続されているポートに対するデータリンク情報の設定を自動で行うことができる。
【図面の簡単な説明】
【００３９】
【図１】この発明の実施の形態にかかるネットワークシステムの全体構成を示すブロック図である。
【図２】図１に示したＰＸＣ装置♯ＡおよびＷＤＭ装置♯Ａの詳細構成を示すブロック図である。
【図３】ＰＸＣ装置♯ＡとＷＤＭ装置♯Ａとの間の光ファイバ接続状態認識制御処理手順を示すシーケンス図である。
【図４】ＰＸＣ装置♯ＡとＰＸＣ装置♯Ｂとの間の光ファイバ接続状態認識制御処理手順を示すシーケンス図である。
【符号の説明】
【００４０】
１  ルータ♯Ａ
２  ＰＸＣ装置♯Ａ
３  ＷＤＭ装置♯Ａ
４，５，７  光ファイバ
６  ＷＤＭ装置♯Ｂ
８  ＰＸＣ装置♯Ｂ
９  ルータ♯Ｂ
１０，１１，１２  ＧＭＰＬＳ通信路
１３，２０，２１  光信号入力力ポート
１４，１５，２２  パワーモニタ
１６  光スイッチ
１７，１８，３０  光信号出力ポート
１９，２６  制御部
２３  ＭＵＸ部
２４  ＤＥＭＵＸ部
２５  ＯＳＣ光制御部
【図１】
2009212778.tif 000003
【図２】
2009212778.tif 000004
【図３】
2009212778.tif 000005
【図４】
2009212778.tif 000006